(57)【要約】【課題】挿入方向に対して傾いた状態でディスクを挿入しても、ディスクが破損する恐れのないディスクドライブ装置保持構造及びこれを備えた電子機器を提供する。【解決手段】電子機器本体に対してディスクドライブ装置１が回動可能に支持され、ディスクドライブ装置１にディスク５を抜き差しする際には、ディスクドライブ装置１のディスク挿抜方向がディスク５の挿入又は抜き取り方向と一致するように、ディスクドライブ装置１が回動する。【選択図】図２
2009238134.tif 000002
【特許請求の範囲】
【請求項１】
本体装置に搭載されるディスクドライブ装置の保持構造であって、
前記本体装置に対して前記ディスクドライブ装置が回動可能に支持され、
前記ディスクドライブ装置にディスクを抜き差しする際には、前記ディスクドライブ装置のディスク挿抜方向が前記ディスクの挿入又は抜き取り方向と一致するように、前記ディスクドライブ装置が回動することを特徴するディスクドライブ装置保持構造。
【請求項２】
前記ディスクドライブ装置へディスクが挿入された後に前記ディスクドライブの回動を規制する回動規制手段を有することを特徴とする請求項１記載のディスクドライブ装置保持構造。
【請求項３】
前記ディスクドライブ装置を前記本体装置に対して回動自在に支持する支持軸が、前記ディスクドライブ装置の中央よりもディスク挿入口側に設けられたことを特徴とする請求項２記載のディスクドライブ装置保持構造。
【請求項４】
前記回動規制手段は、前記支持軸に対して軸方向に垂直な荷重を負荷することを特徴とする請求項２又は３記載のディスクドライブ装置保持構造。
【請求項５】
前記支持軸には、断面形状が非円形の非円形断面部が設けられており、前記回動規制手段は、前記非円形断面部に荷重を負荷することを特徴とする請求項４記載のディスクドライブ装置保持構造。
【請求項６】
前記非円形断面部は、前記支持軸の径方向の最大寸法が前記支持軸の軸の径よりも大きく、
前記回動規制手段は、前記非円形断面部を前記支持軸の軸方向から見た場合に前記支持軸よりも外側に位置する部分に荷重を負荷することを特徴とする請求項５記載のディスクドライブ装置保持構造。
【請求項７】
前記ディスクドライブ装置を前記本体装置に対して回動自在に支持する支持軸が、前記ディスクドライブ装置の略中央部に設けられ、
前記回動規制手段は、前記ディスクドライブ装置を前記支持軸の径方向に移動させて前記本体装置に実装された他の部材と当接させることにより、前記ディスクドライブ装置の回動を規制することを特徴とする請求項２記載のディスクドライブ装置保持構造。
【請求項８】
前記ディスクドライブ装置を前記本体装置に対して回動自在に支持する支持軸は、前記ディスクドライブ装置の略中央部に設けられるとともに、前記支持軸と平行な軸を枢軸として旋回可能なアームの一端に回動自在に支持されており、
前記回動規制手段は、前記アームを旋回させることによって前記ディスクドライブ装置を前記本体装置に実装された他の部材に当接させ、前記ディスクドライブ装置の回動を規制することを特徴とする請求項２記載のディスクドライブ装置保持構造。
【請求項９】
前記ディスクドライブ装置から前記支持軸の軸方向に突出する突起と、
前記突起を案内するガイドレールとを有し、
前記突起と前記ガイドレールとによって、前記ディスクドライブ装置の回動量が制限されたことを特徴とする請求項１から８のいずれか１項記載のディスクドライブ装置保持構造。
【請求項１０】
前記ディスクドライブ装置と前記本体装置に実装された他の電子部品とを接続する配線が、前記支持軸の近傍において前記ディスクドライブ装置に接続されたことを特徴とする請求項１から９のいずれか１項記載のディスクドライブ保持構造。
【請求項１１】
請求項１から１０の何れか１項記載のディスクドライブ保持構造を備えた電子機器。
【請求項１２】
前記ディスクドライブ装置が収容された部分の筐体が、他の部分の筐体と独立して前記ディスクドライブ装置とともに回動することを特徴とする請求項１１記載の電子機器。
【発明の詳細な説明】
【技術分野】
【０００１】
本発明は、記録媒体が挿入方向に対して斜めに挿入したり、抜き取ろうとした場合でも、記録媒体の破損を低減するディスクドライブ装置に関する。
【背景技術】
【０００２】
ディスクドライブ装置には、装置から出没するトレーを介してディスクの出し入れを行うトレー式と、トレーを備えず、ディスクを直接装置に出し入れするスロットイン式とがある。
【０００３】
これらのうち、トレー式のディスクドライブ装置は、トレーを装置から突出させるための空間を確保しないと、ディスクの出し入れができない。このため、小さなスペースでも利用可能とする必要のある電子機器、例えば、可搬型のコンピュータには、スロットイン方式のディスクドライブ装置が実装されることも多い。
【０００４】
しかし、スロットイン方式のディスクドライブ装置は、挿入方向に対して傾いた状態でディスクを挿入しようとすると、ディスクに負荷がかかって破損してしまうことがある。
【０００５】
このような問題を解決することを目的とする発明として、特許文献１に開示される「フロッピーディスクドライブのベルトカバー装置」がある。
【特許文献１】実開平６−０６８１８８号公報
【発明の開示】
【発明が解決しようとする課題】
【０００６】
特許文献１に開示される発明は、ディスクを斜めに挿入した場合には、ディスクの先端側が正しい挿入方向に案内されるが、ディスクに曲げ応力が作用することには変わりはない。よって、ディスクの挿入時にディスクが破損する恐れがあるという問題は依然として解決されていない。
【０００７】
本発明は係る問題に鑑みてなされたものであり、挿入方向に対して傾いた状態でディスクを挿入しても、ディスクが破損する恐れのないディスクドライブ装置保持構造及びこれを備えた電子機器を提供することを目的とする。
【課題を解決するための手段】
【０００８】
上記目的を達成するため、本発明は、第１の態様として、本体装置に搭載されるディスクドライブ装置の保持構造であって、本体装置に対してディスクドライブ装置が回動可能に支持され、ディスクドライブ装置にディスクを抜き差しする際には、ディスクドライブ装置のディスク挿抜方向がディスクの挿入又は抜き取り方向と一致するように、ディスクドライブ装置が回動することを特徴するディスクドライブ装置保持構造を提供するものである。
【０００９】
また、上記目的を達成するため、本発明は、第２の態様として、上記第１の態様に係るディスクドライブ装置保持構造を備えた電子機器を提供するものである。
【発明の効果】
【００１０】
本発明によれば、挿入方向に対して傾いた状態でディスクを挿入しても、ディスクが破損する恐れのないディスクドライブ装置保持構造及びこれを備えた電子機器を提供できる。
【発明を実施するための最良の形態】
【００１１】
〔第１の実施形態〕
本発明を好適に実施した第１の実施形態について説明する。図１に、本実施形態に係るディスクドライブ装置保持構造を示す。
ディスクドライブ装置１は、ディスク挿入口１１側に設置された支持軸１２によって図１には不図示の電子機器本体に回動自在に支持されている。ディスクドライブ装置１とマザーボードとは、支持軸の近傍に配置されたケーブル１３を介して接続されている。また、支持軸１２の近傍には、ディスクドライブ装置１の回転を規制するためのドライブ固定装置３が設けられている。
【００１２】
図２（ａ）に示すように、電子機器本体７０にはディスクドライブ装置１に隣接して液晶パネル４が配置されているものとし、以下の説明においては液晶パネル４側を「手前（前）」、ディスクドライブ装置１側を「奥（後）」と表現するものとする。
図２（ａ）に示すように、先端がディスクの挿抜方向よりも奥を向いた状態でディスク５を挿入すると、図２（ｂ）に示すように、ディスクドライブ装置１は支持軸１２を中心としてディスク挿入口１１が手前側を向く方向へ回転し、ディスク５の向きとディスクドライブ装置１のディスク挿抜方向とが一致する。
【００１３】
一方、図３（ａ）に示すように、先端が挿入方向よりも手前を向いた状態でディスク５を挿入すると、図３（ｂ）に示すように、ディスクドライブ装置１は支持軸１２を中心としてディスク挿入口１１が奥側を向く方向へ回転し、ディスク５の向きとディスクドライブ装置１のディスク挿抜方向とが一致する。
【００１４】
いずれの場合でも、ディスクドライブ装置１とマザーボード２とを接続するケーブル１３は支持軸１２の近傍に配置されているため、ディスクドライブ装置１が支持軸１２周りに回転しても、位置の変化が小さい。よって、ディスクドライブ装置１が支持軸１２周りに回転しても、ケーブル１３が断線する恐れはない。
【００１５】
ディスクドライブ装置１は、ディスク５が途中まで挿入された時点でディスク５を検知し、自動的にディスク５を引き込む。この際の検知信号は、ドライブ固定装置３へも入力される。ドライブ固定装置３は、入力された検知信号に応じて、図４（ａ）に示すように、ブレーキ３１が支持軸２を挟み込んでディスクドライブ装置１の回動を規制する。これにより、ディスク５の回転に伴う振動によって、ディスクドライブ装置１が支持軸１２周りに回転してしまうことが防止される。
【００１６】
なお、図４（ｂ）に示すように、断面形状が非円形の部分を支持軸１２に設け、この部分をブレーキ３１で挟むことにより、ディスク５を挿入する際に支持軸１２周りに回転したディスクドライブ装置１を、所定の向き（例えば、マザーボード２と平行）に復帰させた上で固定することができる。また、図４（ｃ）に示すように、支持軸１２に突出する部分を設け、この部分をブレーキで挟むことにより、支持軸１２に大きなトルクを発生させることができる。さらに、図４（ｂ）に示した非円形断面部分を支持軸１２よりも太いフランジとして設けても、ブレーキ３１で挟み込んだ際に、支持軸に大きなトルクを発生させることができる。
【００１７】
イジェクト操作が行われた場合には、ドライブ固定装置３がブレーキ３１を解除するとともに、ディスクドライブ装置１がディスク５を途中まで排出する。ディスクドライブ装置１は支持軸１２周りに回動可能となるため、ディスク５を抜き取る際にもディスク５の破損が低減される。
【００１８】
なお、図５に示すように、ディスクドライブ装置１に突起１４を設け、突起１４を筐体側のガイドレール６１で案内するようにしても良い。このような構成とすることにより、ガイドレール６１の範囲内のみでディスクドライブ装置１を回動させることができる。
【００１９】
また、薄型の電子機器に適用する場合などは、筐体内でディスクドライブ装置１を回動させるのに十分なスペースを確保できない場合がある。このような場合には、図６（ａ）に示すように、ディスクドライブ装置の部分のみを別の筐体６２で収容し、マザーボード２などを収容する筐体６３とは独立して可動できるようにしても良い。この場合には、図６（ｂ）に示すように、ディスクドライブ装置が収容されている部分の筐体６２を回転させた際にカバー６２１が露出して、マザーボード２などが収容された筐体６３との境目を隠蔽するようにすると良い。図では、構成の理解を容易にするために、側面のみにカバー６２１が露出する構成を示しているが、天面や底面についてもカバーを露出させると良い。
【００２０】
このように、本実施形態に係るディスクドライブ装置保持構造は、ディスクドライブ装置１のディスク挿抜方向に対して斜めにディスク５を挿入したり、抜き取ろうとした場合には、ディスクドライブ装置１が支持軸１２周りに回転して、ディスク５に作用する曲げ応力を緩和する。このため、ディスクドライブ装置１にディスク５を挿抜する際に、ディスク５を破損させてしまう可能性を低減できる。
【００２１】
〔第２の実施形態〕
本発明を好適に実施した第２の実施形態について説明する。
図７に本実施形態に係るディスクドライブ装置保持構造を示す。ディスクドライブ装置１は、ディスク５の挿抜方向の中央部に設置された支持軸１２によって図７には不図示の電子機器本体に回動自在に支持されている。また、支持軸１２は筐体に設置されたガイドレール６４によって支持されており、ディスクドライブ装置１全体が前後方向に移動可能となっている。ディスクドライブ装置１とマザーボード２とは、支持軸１２の近傍に配置されたケーブル１３を介して接続されている。さらに、ディスクドライブ装置１の近傍には、ディスクドライブ装置１を前後方向に移動させる機構を備えたドライブ移動装置７が設置されている。
【００２２】
図８（ａ）に示すように、ディスク５が挿入されていない状態では、ディスクドライブ装置１は電子機器本体７０に搭載されている液晶パネル４と離れている。このため、ディスクドライブ装置は、ディスク挿入口１１が手前側を向く方向にも、奥側を向く方向にも回転可能である。
図８（ｂ）に示すように、ディスクドライブ装置１にディスク５を挿入すると、ディスクドライブ装置１は、途中まで挿入された時点でディスク５を検知し、自動的にディスク５を引き込む。この際の検知信号は、ドライブ移動装置７へも入力される。ドライブ移動装置７は、スライダー・クランク機構やラック・ピニオン機構などの公知の機構を用いてディスクドライブ装置１全体をガイドレール６４に沿って液晶パネル４側へ直線運動させる。図８（ｃ）に示すように、液晶パネル４に対して傾いた状態でディスクドライブ装置１が当接した場合は、ディスクドライブ装置１は支持軸１２周りに回転し、図８（ｄ）に示すように、液晶パネル４と平行な状態で固定される。
【００２３】
イジェクト操作が行われた場合には、ドライブ移動装置７がディスクドライブ装置１を液晶パネル４から遠ざけるとともに、ディスクドライブ装置１がディスク５を途中まで排出する。ディスクドライブ装置１は支持軸１２周りに回動可能となるため、ディスク５を抜き取る際にもディスク５の破損が低減される。
【００２４】
第１の実施形態と同様に、本実施形態に係るディスクドライブ装置保持構造は、ディスクドライブ装置１のディスク挿抜方向に対して斜めにディスク５を挿入したり、抜き取ろうとしようとした場合には、ディスクドライブ装置１が支持軸１２周りに回転して、ディスク５に作用する曲げ応力を緩和する。このため、ディスクドライブ装置１にディスク５を挿抜する際に、ディスク５を破損させてしまう可能性を低減できる。
【００２５】
しかも、ディスク５の挿入時にはディスクドライブ装置１の支持軸１２周りの回転を妨げる部材（上記の例では液晶パネル４）とディスクドライブ装置１との距離を大きく取れるので、ディスクドライブ装置１を大きく回転させることができる。具体的には、上記第１の実施形態の構造では、液晶パネル４が障害となるため、ディスク挿入口１１を奥側に向ける方向の回転量を大きくすることはできないが、本実施形態の構造では、回転量をより大きくできる。
【００２６】
〔第３の実施形態〕
本発明を好適に実施した第３の実施形態について説明する。
図９に本実施形態に係るディスクドライブ装置保持構造を示す。ディスクドライブ装置１は、中央部に設置された支持軸１２によって図９には不図示の電子機器本体に回動自在に支持されている。支持軸１２はアーム６５の一端に設置されており、アーム６５の他端にはアーム軸６６が設置されている。アーム軸６６は、駆動源であるドライブ移動装置８に接続されている。ディスクドライブ装置１とマザーボード２とは、支持軸１２の近傍に配置されたケーブル１３を介して接続されている。
【００２７】
図１０（ａ）に示すように、ディスク５が挿入されていない状態では、ディスクドライブ装置１は電子機器本体７０に搭載されている液晶パネル４と離れている。このため、ディスクドライブ装置１は、ディスク挿入口１１が手前側を向く方向にも、奥側を向く方向にも回転可能である。
図１０（ｂ）に示すように、ディスクドライブ装置１にディスク５を挿入すると、ディスクドライブ装置１は、ディスク５が途中まで挿入された時点でディスク５を検知し、自動的にディスク５を引き込む。この際の検知信号は、ドライブ移動装置８へも入力される。ドライブ移動装置８は、アーム軸６６を回転させてアーム６５を旋回させ、ディスクドライブ装置１を液晶パネル４に近づける。図１０（ｃ）に示すように、液晶パネル４に対して傾いた状態でディスクドライブ装置１が当接した場合は、ディスクドライブ装置１は支持軸１２周りに回転し、図１０（ｄ）に示すように、液晶パネル４と平行な状態で固定される。
【００２８】
イジェクト操作が行われた場合には、ドライブ移動装置８がディスクドライブ装置１を液晶パネル４から遠ざけるとともに、ディスクドライブ装置１がディスクを途中まで排出する。ディスクドライブ装置１は支持軸１２周りに回動可能となるため、ディスク５を抜き取る際にもディスクの破損が低減される。
【００２９】
第１の実施形態と同様に、本実施形態に係るディスクドライブ装置保持構造は、ディスクドライブ装置１のディスク挿抜方向に対して斜めにディスク５を挿入したり、抜き取ろうとしようとした場合には、ディスクドライブ装置１が支持軸１２周りに回転して、ディスク５に作用する曲げ応力を緩和する。このため、ディスクドライブ装置１にディスク５を挿抜する際に、ディスク５を破損させてしまう可能性を低減できる。
【００３０】
しかも、第２の実施形態と同様に、ディスク５挿入時にはディスクドライブ装置１の支持軸１２周りの回転を妨げる部材（上記の例では液晶パネル４）とディスクドライブ装置１との距離を大きく取れるので、ディスクドライブ装置１を大きく回転させることができる。
【００３１】
なお、上記各実施形態は本発明の好適な実施の一例であり、本発明はこれに限定されることはない。
例えば、上記各実施形態においては、ディスクドライブ装置とマザーボードとを結ぶケーブルを支持軸の近傍に配置する構成を例としたが、支持軸を中空とし、その中に配線を引き回しても良い。また、ディスクドライブ装置とマザーボードとの接続にフレキシブルプリント基板を用いても良い。
このように、本発明は様々な変形が可能である。
【図面の簡単な説明】
【００３２】
【図１】本発明を好適に実施した第１の実施形態に係るディスクドライブ保持構造を示す図である。
【図２】ディスク挿入時に支持軸周りにディスクドライブ装置が回動する様子を示す図である。
【図３】ディスク挿入時に支持軸周りにディスクドライブ装置が回動する様子を示す図である。
【図４】ディスクドライブ装置の回動を規制するブレーキの構成例を示す図である。
【図５】突起を備えたディスクドライブ装置を示す図である。
【図６】ディスクドライブ装置の部分を独立した筐体としたディスクドライブ保持構造を示す図である。
【図７】本発明を好適に実施した第２の実施形態に係るディスクドライブ保持構造を示す図である。
【図８】第２の実施形態に係るディスクドライブ保持構造の動作を示す図である。
【図９】本発明を好適に実施した第３の実施形態に係るディスクドライブ保持構造を示す図である。
【図１０】第３の実施形態に係るディスクドライブ保持構造の動作を示す図である。
【符号の説明】
【００３３】
１    ディスクドライブ装置
２    マザーボード（ＭＢ）
３    ドライブ固定装置
４    液晶パネル
５    ディスク
７、８    ドライブ移動装置
１１    ディスク挿入口
１２    支持軸
１３    ケーブル
１４    突起
３１    ブレーキ
６１、６４    ガイドレール
６２、６３    筐体
６５    アーム
６６    アーム軸
７０    電子機器本体
６２１    カバー               
【図１】
2009238134.tif 000003
【図２】
2009238134.tif 000004
【図３】
2009238134.tif 000005
【図４】
2009238134.tif 000006
【図５】
2009238134.tif 000007
【図６】
2009238134.tif 000008
【図７】
2009238134.tif 000009
【図８】
2009238134.tif 000010
【図９】
2009238134.tif 000011
【図１０】
2009238134.tif 000012